【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
データフローのステータスを報告する方法であって、
ユーザ機器（UE）によって、
（a）前記データフローが、アグリゲーションポイントにおいて分割されたパケットの選択に基づいて決定された、パケットデータコンバージェンスプロトコルレイヤまたは無線リンク制御レイヤより下のプロトコルスタック内のレイヤを介して複数の接続上の複数の基地局から受信されていることと、
（b）前記データフローが、2つ以上の接続上で複製パケットを含むことと
を決定するステップと、
前記複数の接続のうちの少なくとも1つの重複配信ベアラを介して前記複製パケットの少なくとも1つが受信されたと決定するステップと、
前記UEによって、前記重複配信ベアラを介して前記複製パケットの前記少なくとも1つが受信されたとの決定に基づいて、前記複数の基地局に、前記データフロー上で受信された前記複製パケットの前記少なくとも1つのためのステータスを報告するステップであって、前記ステータスが、前記複数の基地局に前記複製パケットの前記少なくとも1つの複製を破棄することを示す、ステップと
を備える、方法。
【請求項２】
ステータスを報告するステップが、パケットデータコンバージェンスプロトコル(PDCP)ステータス報告を送るステップ、または無線リンク制御(RLC)ステータス報告を送るステップを備える、請求項1に記載の方法。
【請求項３】
前記複数の接続の各接続上で同じステータスが送られる、請求項1に記載の方法。
【請求項４】
前記データフローが2つ以上の接続上で送られていることを示す構成を受信するステップをさらに備える、請求項1に記載の方法。
【請求項５】
前記受信された構成が、前記データフローが2つ以上の接続上で送られていることを示すベアラタイプを備える、請求項4に記載の方法。
【請求項６】
複数の基地局によって、データフローが送信されるかを決定する方法であって、
前記データフローの少なくとも1つのサービス要件に基づいて、
（a）前記データフローが、アグリゲーションポイントにおいて分割されたパケットの選択に基づいて決定された、パケットデータコンバージェンスプロトコル（PDCP）レイヤまたは無線リンク制御（RLC）レイヤを含むレイヤより下のプロトコルスタック内のレイヤを介して複数の接続上の前記複数の基地局からユーザ機器（UE）に送信されることと、
（b）前記データフローが、2つ以上の接続上で複製パケットを含むことと
を決定するステップと、
第1の基地局から、前記データフローの前記複製パケットの少なくとも1つを前記UEに送るステップと、
前記第1の基地局から前記複数の基地局のうちの第2の基地局に、前記複数の接続のうちの2つ以上が接続されている間、前記第2の基地局から、送信される前記データフローの前記複製パケットの前記少なくとも1つを前記UEに転送するステップと、
前記UEから、前記データフローの前記複製パケットの前記少なくとも1つのためのステータスを受信するステップであって、前記ステータスが、前記複製パケットの前記少なくとも1つの複製を破棄することを示す、ステップと
を備える、方法。
【請求項７】
前記ステータスが、受信されたデータを示す、請求項6に記載の方法。
【請求項８】
前記ステータスが、前記複製パケットの前記少なくとも1つが、前記複数の接続のうちの第1の接続上で受信されたことを示し、前記方法が、前記複数の接続のうちの他の接続上で前記複製パケットの前記少なくとも1つを転送することをやめるステップをさらに備える、請求項7に記載の方法。
【請求項９】
前記データフローを2つ以上の接続上で送られるように構成する要求を送信するステップをさらに備える、請求項6に記載の方法。
【請求項１０】
前記決定するステップが、前記データフローが2つ以上の接続上で送られるようにする構成を受信するステップを備える、請求項6に記載の方法。
【請求項１１】
データフローのステータスを報告するための装置であって、
（a）前記データフローが、アグリゲーションポイントにおいて分割されたパケットの選択に基づいて決定された、パケットデータコンバージェンスプロトコルレイヤまたは無線リンク制御レイヤより下のプロトコルスタック内のレイヤを介して複数の接続上の複数の基地局から受信されていることと、
（b）前記データフローが、2つ以上の接続上で複製パケットを含むことと
を決定するための手段と、
前記複数の接続のうちの少なくとも1つの重複配信ベアラを介して前記複製パケットの少なくとも1つが受信されたと決定するための手段と、
前記重複配信ベアラを介して前記複製パケットの前記少なくとも1つが受信されたとの決定に基づいて、前記複数の基地局に、前記データフロー上で受信された前記複製パケットの前記少なくとも1つのためのステータスを報告するための手段であって、前記ステータスが、前記複数の基地局に前記複製パケットの前記少なくとも1つの複製を破棄することを示す、手段と
を備える、装置。
【請求項１２】
ステータスを報告するための前記手段が、PDCPステータス報告を送るための手段、またはRLCステータス報告を送るための手段を備える、請求項11に記載の装置。
【請求項１３】
ステータスを報告するための前記手段が、前記複数の接続の各接続上で同じステータスを送るための手段を備える、請求項11に記載の装置。
【請求項１４】
前記データフローが2つ以上の接続上で送られていることを示す構成を受信するための手段をさらに備える、請求項11に記載の装置。
【請求項１５】
前記受信された構成が、前記データフローが2つ以上の接続上で送られていることを示すベアラタイプを備える、請求項14に記載の装置。
【請求項１６】
複数の基地局によって、データフローが送信されるかを決定するための装置であって、
前記データフローの少なくとも1つのサービス要件に基づいて、
（a）前記データフローが、アグリゲーションポイントにおいて分割されたパケットの選択に基づいて決定された、パケットデータコンバージェンスプロトコル（PDCP）レイヤまたは無線リンク制御（RLC）レイヤを含むレイヤより下のプロトコルスタック内のレイヤを介して複数の接続上の前記複数の基地局からユーザ機器（UE）に送信されることと、
（b）前記データフローが、2つ以上の接続上で複製パケットを含むことと
を決定するための手段と、
第1の基地局から、前記データフローの前記複製パケットの少なくとも1つを前記UEに送るための手段と、
前記第1の基地局から前記複数の基地局のうちの第2の基地局に、前記複数の接続のうちの2つ以上が接続されている間、前記第2の基地局から、送信される前記データフローの前記複製パケットの前記少なくとも1つを前記UEに転送するための手段と、
前記UEから、前記データフローの前記複製パケットの前記少なくとも1つのためのステータスを受信するための手段であって、前記ステータスが、前記複製パケットの前記少なくとも1つの複製を破棄することを示す、手段と
を備える、装置。
【請求項１７】
前記ステータスが、受信されたデータを示す、請求項16に記載の装置。
【請求項１８】
前記ステータスが、前記複製パケットの前記少なくとも1つが、前記複数の接続のうちの第1の接続上で受信されたことを示し、前記装置が、
前記複数の接続のうちの他の接続上で前記複製パケットの前記少なくとも1つを転送することをやめるための手段をさらに備える、請求項17に記載の装置。
【請求項１９】
前記データフローを2つ以上の接続上で送られるように構成する要求を送信するための手段をさらに備える、請求項16に記載の装置。
【請求項２０】
前記データフローが前記複数の接続上で送信されるべきであると決定するための前記手段が、前記データフローを2つ以上の接続上で送られるようにする構成を受信するための手段を備える、請求項16に記載の装置。